(57)【要約】      （修正有）【課題】インクジェット記録装置による印刷物に使用した場合であっても、着色剤の種類に関係なく優れた筆記性能を長期的に維持したまま、なぞり書き時に印字の輪郭にじみや非印刷部分の汚れを生じることのない実用性の高い水性マーキングペンを提供する。【解決手段】先端にマーキングペンチップを備え、前記チップに誘導される水性インキを直接又はインキ吸蔵体とともに軸筒内に収容するマーキングペンであって、前記水性インキが、着色剤と、水と、３−メトキシ−３−メチルブタノールを含有する水性マーキングペン。【選択図】なし【特許請求の範囲】
【請求項１】
先端にマーキングペンチップを備え、前記チップに誘導される水性インキを直接又はインキ吸蔵体とともに軸筒内に収容するマーキングペンであって、前記水性インキが、着色剤と、水と、３−メトキシ−３−メチルブタノールを含有する水性マーキングペン。
【請求項２】
前記３−メトキシ−３−メチルブタノールをインキ組成物中５〜３０重量％含んでなる請求項１記載の水性マーキングペン。
【請求項３】
前記水性インキの導電率が２．５ｍＳ／ｃｍ以上である請求項１又は２に記載の水性マーキングペン。
【請求項４】
前記着色剤が着色樹脂顔料、マイクロカプセル顔料のいずれかを含む請求項１乃至３のいずれかに記載の水性マーキングペン。
【請求項５】
前記マーキングペンチップが多孔性プラスチックからなる請求項１乃至４のいずれかに記載の水性マーキングペン。
【請求項６】
前記多孔性プラスチックの材質がポリフッ化ビニリデン又はポリエチレンである請求項５記載の水性マーキングペン。
【請求項７】
前記マーキングペンチップがチゼル形状である請求項１乃至６のいずれかに記載の水性マーキングペン。
【請求項８】
前記チゼル形状チップの筆記先端縁部の紙面接触辺の長手方向長さが２ｍｍ〜５ｍｍの範囲である請求項７記載の水性マーキングペン。
【発明の詳細な説明】
【技術分野】
【０００１】
本発明は水性マーキングペンに関する。更には、印字面のなぞり書きに適した水性マーキングペンに関する。
【背景技術】
【０００２】
従来、用紙に印刷された文字や像を強調して表示する方法として、マーキングペンによるハイライト処理が一般的に行われている。例えば、ある特定の文字列を強調したい場合、その文字列上をマーキングペンでなぞることで着色し、視覚的に目立たせる方法がある。その際、元の文字列が視覚的にはっきりと認識されることは非常に重要であり、輪郭のにじみや非印字部分の汚れが発生することは好ましくない。
特に近年、インクジェット記録装置の普及に伴い、インクジェット方式による印刷物を取り扱う機会が増加してきている。汎用されている多くのインクジェット記録装置では水性インキを使用しており、その着色剤も水に溶解又は分散するものが採用されている。そのため、水性のマーキングペンを用いてインクジェット記録装置により形成された印刷物（印字部分）をマーキング（筆記）した際に、着色剤が再溶解又は再分散されることにより、印字の輪郭にじみや、溶解した印刷インキが流れることで生じる印字部周辺の非印刷部分の汚れを発生する場合がある。
【０００３】
前記マーキングによるハイライト処理時に発生する印字の輪郭にじみや非印刷部分汚れを抑制するために、インキ組成物中にポリアリルアミン等のカチオン性ポリマーを添加する技術が開示されている（例えば、特許文献１参照）。
【先行技術文献】
【特許文献】
【０００４】
【特許文献１】特開２００９−２８６９５２号公報
【発明の概要】
【発明が解決しようとする課題】
【０００５】
前記カチオン性ポリマーを添加したインキは、着色剤として染料を用いた場合には、印字の輪郭にじみや非印刷部分の汚れを抑制できるものの、着色剤として顔料を用いた場合には、経時により顔料が凝集してしまい、筆跡カスレを生じたり筆記不能となる等、筆記性能を損なうものであった。
本発明は、インクジェット記録装置による印刷物に使用した場合であっても、着色剤の種類に関係なく優れた筆記性能を長期的に維持したまま、なぞり書き時に印字の輪郭にじみや非印刷部分の汚れを生じることのない実用性の高い水性マーキングペンを提供するものである。
【課題を解決するための手段】
【０００６】
本発明は、先端にマーキングペンチップを備え、前記チップに誘導される水性インキを直接又はインキ吸蔵体とともに軸筒内に収容するマーキングペンであって、前記水性インキが、着色剤と、水と、３−メトキシ−３−メチルブタノールを含有する水性マーキングペンを要件とする。
更に、前記３−メトキシ−３−メチルブタノールをインキ組成物中５〜３０重量％含んでなること、前記水性インキの導電率が２．５ｍＳ／ｃｍ以上であること、前記着色剤が着色樹脂顔料、マイクロカプセル顔料のいずれかを含むことを要件とする。
更に、前記マーキングペンチップが多孔性プラスチックからなること、前記多孔性プラスチックの材質がポリフッ化ビニリデン又はポリエチレンであること、前記マーキングペンチップがチゼル形状であること、前記チゼル形状チップの筆記先端縁部の紙面接触辺の長手方向長さが２ｍｍ〜５ｍｍの範囲であることを要件とする。
【発明の効果】
【０００７】
本発明の水性マーキングペンは、３−メトキシ−３−メチルブタノールを配合したインキを収容することで、インクジェット記録装置による印刷物のなぞり書きに使用した場合であっても、着色剤の種類に関係なく優れた筆記性能を長期的に維持したまま、印刷面に形成された印字の輪郭にじみや溶解した印刷インキによる非印刷部分の汚染を生じることなく筆記できるものとなる。そのため、実用性の高い水性マーキングペンとなる。
特に、マーキングペンチップとして多孔性プラスチック製を適用することで、印字の輪郭にじみを抑制できるとともに、高筆圧筆記時であっても印字を剥がしたり、複数文字を連続筆記した際にも筆記方向への残像（印字汚れ）を生じることなくマーキングできる水性マーキングペンとなる。
【発明を実施するための形態】
【０００８】
本発明の水性マーキングペンは、繊維チップ、フェルトチップ、プラスチックチップ、多孔性プラスチックチップ等のマーキングペンチップを筆記先端部に装着したマーキングペンであり、前記チップを覆うキャップを備えたキャップ式の他、ノック式、回転式、スライド式等の出没機構を有し、軸筒内にチップを収容可能な出没式形態である。
【０００９】
前記マーキングペン自体の構造、形状は特に限定されるものではなく、例えば、砲弾型、チゼル型、筆ペン型等のマーキングペンチップを筆記先端部に装着し、軸筒内部に収容した繊維束からなるインキ吸蔵体にインキを含浸させ、筆記先端部にインキを供給する構造、軸筒内部に直接インキを収容し、櫛溝状のインキ流量調節部材や繊維束からなるインキ流量調節部材を介在させて筆記先端部に所定量のインキを供給する構造、軸筒内部に直接インキを収容して、弁機構により筆記先端部に所定量のインキを供給する構造のマーキングペンが挙げられる。
また、チップを一端に一本備えるものの他、太さや形状や材質の異なるチップを軸筒の両端に備えた両頭式形態であってもよい。尚、前記両頭式形態においては、一端をボールペンとしたものであってもよい。
【００１０】
前記マーキングペンチップとしては、熱可塑性樹脂繊維に接着剤を含浸させて集束させた繊維集束体（外周面を合成樹脂で被覆したものを含む）やフェルトの樹脂加工体、更には合成樹脂の押出成形や糸状樹脂の融着により内部に毛細管力を有する複数の微細なインキ流通路が形成されるプラスチック成形体、多方向に相互連結した何千もの微細孔を有する多孔性プラスチック成形体を用い、切削（研削）や成形により先端を砲弾型、チゼル型、筆ペン型等の所望形状に加工したものが適用される。また、筆記方向の印字がチップを介して視認できる窓付チップ（Ｗｉｎｄｏｗ  Ｎｉｂ）を適用することもできる。尚、これらのチップは交換可能とすることもできる。
【００１１】
特に、インクジェット装置による印字箇所をなぞることを目的とする場合には、チゼル形状（チゼル型）のチップが好適であり、一本のペン先で線幅の異なる筆跡を形成でき、広範囲での使用に適している点からも有用である。尚、前記チゼル形状とは、相対する両側面を先鋭状にカットしたチップ先端縁部が、チップ（筆記具）の軸線と直交している態様のもの、または、チップ（筆記具）の軸線と斜めに交差（斜交）している態様のもののいずれをも含むものである。更に、インクジェット装置による一般的なフォントでの印字箇所を一本の筆跡でなぞることができる点から、前記チゼル形状チップの筆記先端縁部の紙面接触辺の長手方向長さを２ｍｍ〜５ｍｍの範囲で形成することが好ましい。
【００１２】
また、前記マーキングペンチップが多方向に相互連結した微細孔を有する多孔性プラスチック成形体からなる多孔性プラスチックチップである場合、印字の輪郭にじみを抑制できることはもちろん、高筆圧筆記時であってもインクジェット装置による印字を剥がすことがなく、複数文字を連続筆記した際にも筆記方向への印字汚れを生じることなくマーキングできるものとなる。特に、前記効果と共に高い筆感が得られることから、多孔性プラスチックの材質としてポリフッ化ビニリデン又はポリエチレンを用いたものが好適である。
【００１３】
前記軸筒としては、樹脂成形物やアルミニウムや鉄等の金属加工体が用いられ、内面に汎用の樹脂コーティング手段により樹脂層を形成することもできる。また、インキを収容するインキタンクを別途構成することもできる。この場合、着脱可能な構造としてインキカートリッジ形態とすることも可能である。
更に、軸筒内にインキ吸蔵体と共にインキを収容する場合、インキ切れした際にインキを補充できる構造や、インキを含浸するインキ吸蔵体との交換が可能な構造とすることもできる。
【００１４】
前記マーキングペンに収容される水性インキには、３−メトキシ−３−メチルブタノールが添加される。３−メトキシ−３−メチルブタノールは汎用の有機溶剤とは異なり、水媒体によって再溶解又は再分散されたインクジェット印字（着色剤成分）を不溶化することで、印字部分の着色剤が滲んだり周囲に流れることを抑制できるものである。
前記３−メトキシ−３−メチルブタノールは、インキ組成物全量中５〜３０重量％、好ましくは１０〜２５重量％の範囲で添加することができる。
５重量％未満ではインクジェットによる印字の再溶解抑制効果を得ることは困難であり、また、３０重量％を越えて配合しても更なる効果は得られないので、これ以上の添加を要しない。
【００１５】
前記着色剤としては、水性系媒体に溶解もしくは分散可能な染料及び顔料がすべて使用可能であり、その具体例を以下に例示する。
前記染料としては、酸性染料、塩基性染料、直接染料等を使用することができる。
酸性染料としては、ニューコクシン（Ｃ．Ｉ．１６２５５）、タートラジン（Ｃ．Ｉ．１９１４０）、アシッドブルーブラック１０Ｂ（Ｃ．Ｉ．２０４７０）、ギニアグリーン（Ｃ．Ｉ．４２０８５）、ブリリアントブルーＦＣＦ（Ｃ．Ｉ．４２０９０）、アシッドバイオレット６Ｂ（Ｃ．Ｉ．４２６４０）、ソルブルブルー（Ｃ．Ｉ．４２７５５）、ナフタレングリーン（Ｃ．Ｉ．４４０２５）、エオシン（Ｃ．Ｉ．４５３８０）、フロキシン（Ｃ．Ｉ．４５４１０）、エリスロシン（Ｃ．Ｉ．４５４３０）、ニグロシン（Ｃ．Ｉ．５０４２０）、アシッドフラビン（Ｃ．Ｉ．５６２０５）等が用いられる。
塩基性染料としては、クリソイジン（Ｃ．Ｉ．１１２７０）、メチルバイオレットＦＮ（Ｃ．Ｉ．４２５３５）、クリスタルバイオレット（Ｃ．Ｉ．４２５５５）、マラカイトグリーン（Ｃ．Ｉ．４２０００）、ビクトリアブルーＦＢ（Ｃ．Ｉ．４４０４５）、アクリジンオレンジＮＳ（Ｃ．Ｉ．４６００５）、メチレンブルーＢ（Ｃ．Ｉ．５２０１５）等が用いられる。
直接染料としては、コンゴーレッド（Ｃ．Ｉ．２２１２０）、ダイレクトスカイブルー５Ｂ（Ｃ．Ｉ．２４４００）、バイオレットＢＢ（Ｃ．Ｉ．２７９０５）、ダイレクトディープブラックＥＸ（Ｃ．Ｉ．３０２３５）、カヤラスブラックＧコンク（Ｃ．Ｉ．３５２２５）、ダイレクトファストブラックＧ（Ｃ．Ｉ．３５２５５）、フタロシアニンブルー（Ｃ．Ｉ．７４１８０）等が用いられる。
特に、ハイライト効果が高いことから、カラ−インデックス（以下、省略する）アシッドイエロ−１、同３、同７、アシッドレッド５１、同５２、同９２、同９４、ベ−シックオレンジ１４、同１５、ジスパ−ズイエロ−６、ダイレクトイエロー５９（プリムリン）、ベーシックイエロー１（チオフラビン）、チアゾ−ルイエロ−Ｇ、ソルベントグリーン７（ヒドロキシピレントリスルホン酸）、ベーシックバイオレット１０、ベーシックレッド１等の蛍光染料が好適に用いられる。
【００１６】
前記顔料としては、群青などの無機顔料や銅フタロシアニンブルー、カーボンブラック、ベンジジンイエロー等の有機顔料の他、予め界面活性剤や樹脂を用いて微細に安定的に水媒体中に分散された水分散顔料製品等が用いられ、例えば、Ｃ．Ｉ．Ｐｉｇｍｅｎｔ  Ｂｌｕｅ  １５：３Ｂ〔品名：Ｓａｎｄｙｅ  Ｓｕｐｅｒ  Ｂｌｕｅ  ＧＬＬ、顔料分２４％、山陽色素株式会社製〕、Ｃ．Ｉ．  Ｐｉｇｍｅｎｔ  Ｒｅｄ  １４６〔品名：Ｓａｎｄｙｅ  Ｓｕｐｅｒ  Ｐｉｎｋ  ＦＢＬ、顔料分２１．５％、山陽色素株式会社製〕、Ｃ．Ｉ．Ｐｉｇｍｅｎｔ  Ｙｅｌｌｏｗ  ８１〔品名：ＴＣ  Ｙｅｌｌｏｗ  ＦＧ、顔料分約３０％、大日精化工業株式会社製〕、Ｃ．Ｉ．Ｐｉｇｍｅｎｔ  Ｒｅｄ  ２２０／１６６〔品名：ＴＣ  Ｒｅｄ  ＦＧ、顔料分約３５％、大日精化工業株式会社製〕等を挙げることができる。
尚、前記顔料を分散する樹脂としては、ポリアミド樹脂、ポリウレタン樹脂、ポリエステル樹脂、エポキシ樹脂、メラミン樹脂、フェノール樹脂、シリコーン樹脂、ポリビニルアルコール、ポリビニルピロリドン、ポリ酢酸ビニル、ポリ塩化ビニル、ポリ塩化ビニリデン、ポリスチレン、アクリル酸樹脂、マレイン酸樹脂、アラビアゴム、セルロース、デキストラン、カゼイン等、およびそれらの誘導体、前記した樹脂の共重合体等が挙げられる。
また、二酸化チタン等の白色顔料、アルミニウム等の金属粉、天然雲母、合成雲母、アルミナ、ガラス片から選ばれる芯物質の表面を二酸化チタン等の金属酸化物で被覆したパール顔料、コレステリック液晶型光輝性顔料等を使用することもできる。
【００１７】
特に、ハイライト効果が高いことから着色樹脂顔料が好適に用いられる。前記着色樹脂顔料は、各種染料を樹脂マトリックス中に固溶体化した合成樹脂微細粒子状のものが適用でき、印字上をなぞった際に印字の視認性を妨げることなくハイライト効果を付与できる。
特に、蛍光性染料を樹脂マトリックス中に固溶体化した合成樹脂微細粒子状の蛍光顔料が有用であり、具体的には、ルミコールシリーズ（日本蛍光株式会社製）、ＳＦシリーズ（シンロイヒ株式会社製）、ＬＭ２１シリーズ（富士色素株式会社製）等が例示できる。
【００１８】
更に、熱変色性組成物を内包したマイクロカプセル顔料や、熱変色性組成物と共に染料や顔料を内包したマイクロカプセル顔料等を使用することもできる。
前記熱変色性組成物としては、（イ）電子供与性呈色性有機化合物、（ロ）電子受容性化合物、（ハ）前記両者の呈色反応の生起温度を決める反応媒体からなる可逆熱変色性組成物が好適であり、マイクロカプセルに内包させて可逆熱変色性マイクロカプセル顔料として適用される。
前記可逆熱変色性組成物としては、特公昭５１−４４７０６号公報、特公昭５１−４４７０７号公報、特公平１−２９３９８号公報等に記載された、所定の温度（変色点）を境としてその前後で変色し、高温側変色点以上の温度域で消色状態、低温側変色点以下の温度域で発色状態を呈し、前記両状態のうち常温域では特定の一方の状態しか存在せず、もう一方の状態は、その状態が発現するのに要した熱又は冷熱が適用されている間は維持されるが、前記熱又は冷熱の適用がなくなれば常温域で呈する状態に戻る、ヒステリシス幅が比較的小さい特性（ΔＨ＝１〜７℃）を有する可逆熱変色性組成物をマイクロカプセル中に内包させた加熱消色型のマイクロカプセル顔料が適用できる。
【００１９】
更に、特公平４−１７１５４号公報、特開平７−１７９７７７号公報、特開平７−３３９９７号公報、特開平８−３９９３６号公報等に記載されている大きなヒステリシス特性（ΔＨＢ＝８〜５０℃）を示す、即ち、温度変化による着色濃度の変化をプロットした曲線の形状が、温度を変色温度域より低温側から上昇させていく場合と逆に変色温度域より高温側から下降させていく場合とで大きく異なる経路を辿って変色し、完全発色温度以下の低温域での発色状態、又は完全消色温度以上の高温域での消色状態が、特定温度域で色彩記憶性を有する可逆熱変色性組成物をマイクロカプセル中に内包させた加熱消色型のマイクロカプセル顔料も適用できる。
尚、前記色彩記憶性を有する可逆熱変色性組成物として具体的には、完全発色温度を冷凍室、寒冷地等でしか得られない温度、即ち−５０〜０℃、好ましくは−４０〜−５℃、より好ましくは−３０〜−１０℃、且つ、完全消色温度を摩擦体による摩擦熱、ヘアドライヤー等身近な加熱体から得られる温度、即ち５０〜９５℃、好ましくは５０〜９０℃、より好ましくは６０〜８０℃の範囲に特定し、ΔＨ値を４０〜１００℃に特定することにより、常態（日常の生活温度域）で呈する色彩の保持に有効に機能させることができる。
【００２０】
前記着色剤は一種又は二種以上を適宜混合して使用することができ、インキ組成物中１〜２５重量％、好ましくは２〜１５重量％の範囲で用いられる。
【００２１】
更に必要に応じて、水に相溶性のある従来汎用の水溶性有機溶剤を用いることができる。具体的には、エタノール、プロパノール、ブタノール、グリセリン、ソルビトール、トリエタノールアミン、ジエタノールアミン、モノエタノールアミン、エチレングリコール、ジエチレングリコール、チオジエチレングリコール、ポリエチレングリコール、プロピレングリコール、ブチレングリコール、エチレングリコールモノメチルエーテル、エチレングリコールモノエチルエーテル、ジエチレングリコールモノメチルエーテル、ジエチレングリコールモノエチルエーテル、エチレングリコールモノメチルエーテルアセテート、スルフォラン、２−ピロリドン、Ｎ−メチル−２−ピロリドン等が挙げられる。
尚、前記水溶性有機溶剤は一種又は二種以上を併用して用いることができ、２〜６０重量％、好ましくは５〜３５重量％の範囲で用いられる。
【００２２】
その他、必要に応じて、炭酸ナトリウム、リン酸ナトリウム、酢酸ソーダ等の無機塩類、水溶性のアミン化合物等の有機塩基性化合物等のｐＨ調整剤、ベンゾトリアゾール、トリルトリアゾール、サポニン等の防錆剤、石炭酸、１、２−ベンズチアゾリン３−オンのナトリウム塩、安息香酸ナトリウム、デヒドロ酢酸ナトリウム、ソルビン酸カリウム、パラオキシ安息香酸プロピル、２，３，５，６−テトラクロロ−４−（メチルスルフォニル）ピリジン等の防腐剤或いは防黴剤、尿素、ソルビット、マンニット、ショ糖、ぶどう糖、還元デンプン加水分解物、ピロリン酸ナトリウム等の湿潤剤、消泡剤、インキの浸透性を向上させるフッ素系界面活性剤やノニオン系界面活性剤、インキ保溜部材の濡れ性を向上させる濡れ剤等を使用してもよい。
【００２３】
また、耐乾燥性を妨げない範疇でアルキッド樹脂、アクリル樹脂、スチレンマレイン酸共重合物、セルロース誘導体、ポリビニルピロリドン、ポリビニルアルコール、デキストリン等の水溶性樹脂を一種又は二種以上添加したり、尿素、ノニオン系界面活性剤、ソルビット、マンニット、ショ糖、ぶどう糖、還元デンプン加水分解物、ピロリン酸ナトリウム等の湿潤剤を一種又は二種以上添加することもできる。
【００２４】
前記水性インキは導電率を２．５ｍＳ／ｃｍ以上、好ましくは２．８ｍＳ／ｃｍ以上に調製して適用される。導電率を２．５ｍＳ／ｃｍ以上とすることで、水性インキ中への更なる固形物の溶解が困難になるため、インクジェット装置による印字をなぞった際に印字部の着色剤が筆跡インキ中に溶解することを抑制でき、印字部分のにじみをより効果的に抑制できるものとなる。特に、インクジェット印字が染料系である場合、水性インキ中への染料溶解性が高いため、前記導電率の規定がより有用である。尚、前記導電率は２５℃で測定した値である。
【００２５】
前記インキの導電率を所望の範囲に調整することを目的に、イオン性物質を添加することができる。
前記イオン性物質とは、インキ組成物中でイオン化して陽イオンと陰イオンを生じる物質を意味し、汎用のものを一種又は二種以上併用して適用することができる。
尚、前記陽イオンのうち二価以上の陽イオンは、インキ組成物中の他の成分と反応して不溶性塩を形成し易く、それによって筆記時にかすれ等を生じる虞があるため、前記イオン性物質はイオン化して一価の陽イオンを生じる物質が特に好適に用いられる。
前記一価陽イオンとしては、リチウムイオン、ナトリウムイオン、カリウムイオン等のアルカリ金属イオン、アンモニウムイオンや、モノアルキルアンモニウムイオン、ジアルキルアンモニウムイオン、トリアルキルアンモニウイオン、テトラアルキルアンモニウムイオン等の脂肪族アンモニウムイオン、ピリジニウムイオン、アニリニウムイオン等の芳香族アンモニウムイオンが挙げられ、アルカリ金属イオンが好適である。
【００２６】
更に、着色剤成分である塩基性染料を添加することでもインキの導電率を所望の範囲に調整することが可能である。
塩基性染料としては、先に例示するような汎用のものが適用できる。前記塩基性染料は、組成物中に他の化合物を増やすことなく配合でき、筆跡の色調に合わせて選択できるためより有用なものとなる。
【実施例】
【００２７】
以下に実施例を説明するが、本発明はこれらの実施例に限定されるものではない。
以下の表に実施例及び比較例の水性インキの組成を示す。尚、表中の組成の数値は重量部を示し、導電率は、導電率計（横河電機社製、ＳＣ８２）を用いて公知の測定方法により、２５℃における値を測定した。
【００２８】
【表１】
2012096418.tif 000002
【００２９】
表中の原料の内容について注番号に沿って説明する。
（１）日本蛍光（株）製、商品名：ルミコールＮＫＷ−３２０５Ｅ
（２）Ｂａｓｉｃ  Ｙｅｌｌｏｗ  ４０
（３）シンロイヒ（株）製、商品名：ＳＦ−５０１８
（４）Ｂａｓｉｃ  Ｂｌｕｅ  ３
（５）（イ）成分として４−［２，６−ビス（２−エトキシフェニル）−４−ピリジニル］−Ｎ，Ｎ−ジメチルベンゼンアミン、（ロ）成分として、２，２−ビス（４′−ヒドロキシフェニル）−ヘキサフルオロプロパン、（ハ）成分としてカプリン酸４−ベンジルオキシフェニルエチルからなる色彩記憶性を有する可逆熱変色性組成物を内包したマイクロカプセル顔料（予め−２０℃以下に冷却してマイクロカプセル顔料を黄色に発色させたもの）。平均粒子径：２．５μｍ、完全消色温度：６１℃、完全発色温度：−２０℃、温度変化により黄色から無色に変色する。
（６）（イ）成分として２−（ジブチルアミノ）−８−（ジペンチルアミノ）−４−メチル−スピロ［５Ｈ−［１］ベンゾピラノ［２，３−ｇ］ピリミジン−５，１′（３′Ｈ）−イソベンゾフラン］−３−オン、（ロ）成分として４，４′−（２−エチルヘキサン−１、１−ジイル）ジフェノール、２，２−ビス（４′−ヒドロキシフェニル）−ヘキサフルオロプロパン、（ハ）成分としてカプリン酸４−ベンジルオキシフェニルエチルからなる色彩記憶性を有する可逆熱変色性組成物を内包したマイクロカプセル顔料（予め−２０℃以下に冷却してマイクロカプセル顔料をピンク色に発色させたもの）。平均粒子径：２．１μｍ、完全消色温度：５９℃、完全発色温度：−２０℃、温度変化によりピンク色から無色に変色する。
（７）ナフタレンスルホン酸ホルマリン縮合物のナトリウム塩、花王（株）製、商品名：デモールＮ
（８）日光ケミカルズ（株）製、商品名：ニッコールＰＢＣ−３４
（９）北興化学（株）製、商品名：ホクサイドＲ−１５０
（１０）日東紡績（株）製、商品名：ＰＡＡＡ−０１
【００３０】
インキの調製
前記実施例及び比較例の配合量で各原料を混合し、２０℃で３時間撹拌溶解した後、濾過することにより水性インキ組成物を得た。
【００３１】
マーキングペンＡの作製
得られた各インキ組成物をＰＰ樹脂製軸筒内のインキ吸蔵体に充填し、先端部にインキ吸蔵体と連通するポリエステル繊維束を樹脂で結着したチゼル型チップ（紙面接触部の長さ：３．５ｍｍ）を設けることで試料用マーキングペンＡを得た。
【００３２】
マーキングペンＢの作製
得られた各インキ組成物をＰＰ樹脂製軸筒内のインキ吸蔵体に充填し、先端部にインキ吸蔵体と連通するポリフッ化ビニリデン製多孔性プラスチックチップ（紙面接触部の長さが３．０ｍｍであるチゼル型）を設けることで試料用マーキングペンＢを得た。
【００３３】
各マーキングペンを用いて以下のテストを行った。
筆記試験
純正カートリッジ（着色剤：染料）を内蔵したオンデマンド型インクジェット記録装置（キヤノン株式会社製）を用いて、市販のＰＰＣ用紙に連続した黒色文字（フォントサイズ:１０）を印刷した印刷物に対して、各試料用マーキングペンで印字部分をなぞって筆記した際の印字部分の状態を目視により確認した。
インキ安定性試験
各インキ組成物をガラス瓶に封入し、５０℃の環境下に３０日間放置した。その後、室温にて内部のインキの状態を目視により確認した。
【００３４】
以下の表に各試験の結果を示す。
【表２】
2012096418.tif 000003
【００３５】
尚、試験結果の評価は以下の通りである。
筆記試験
○：印字が滲むことなく良好な筆跡を示した。
△：印字に若干の滲み又は薄い剥がれが発生する。
×：印字が滲み、複数文字に亘って連続筆記すると印字流れを生じる。
インキ安定性試験
○：異常なし。
×：顔料の凝集や沈降が見られる。